(57)【要約】【課題】掃除やメンテナンス等の作業を円滑に行うことができるコンロ用バーナを提供する。【解決手段】バーナボディ１に、上下方向に延びる筒状の外周壁５と、外周壁５の内側に筒状の内周壁７とを設ける。バーナヘッド２に、その中央部から軸線に沿って下方に延びて内周壁に挿着する挿着部２１を設ける。バーナボディ１の外周壁上面とバーナヘッド２の外周下面との間に多数の炎孔１８が形成される。バーナヘッド２に、挿着部２１と炎孔１８との間の環状の下面から炎孔１８よりも下方に延びる筒状の中間壁部２５を設ける。【選択図】図２
2014145511.tif 000002
【特許請求の範囲】
【請求項１】
燃料ガスと一次空気との混合ガスを生成する混合管と、該混合管に連設されたバーナボディと、該バーナボディ上に取り外し自在に載置された環状のバーナヘッドとを備え、
前記バーナボディは、上下方向に延びる筒状の外周壁と、該外周壁の内側に設けられて該外周壁との間に前記混合管に連通する環状の混合気通路を形成する筒状の内周壁とを備え、
前記バーナヘッドは、その中央部から軸線に沿って下方に延びて前記内周壁に着脱自在に挿着する挿着部を備え、
前記バーナボディの外周壁上面と前記バーナヘッドの外周下面との間に、前記混合気通路の混合ガスを放射状に導出して燃焼させる多数の炎孔が形成されるコンロ用バーナにおいて、
前記バーナヘッドは、前記挿着部と前記炎孔との間の環状の下面から該炎孔よりも下方に延びる筒状の中間壁部を備えることを特徴とするコンロ用バーナ。
【請求項２】
前記バーナボディは、前記外周壁から前記内周壁に向かって前記バーナヘッドの前記中間壁部よりも径方向の内方まで突出する凸部を備え、
前記中間壁部は、前記凸部に対応する位置に凹部を備えることを特徴とする請求項１記載のコンロ用バーナ。
【請求項３】
前記バーナボディの前記凸部は中空に形成され、該凸部の内部に前記炎孔に点火する点火プラグが収容されていることを特徴とする請求項２記載のコンロ用バーナ。
【発明の詳細な説明】
【技術分野】
【０００１】
本発明は、ガスコンロに用いられるコンロ用バーナに関する。
【背景技術】
【０００２】
この種のコンロ用バーナは、燃料ガスと一次空気との混合ガスを生成する混合管と、該混合管に連設されたバーナボディと、外周に沿って多数の炎孔を形成する環状のバーナヘッドとを備えている。バーナヘッドはバーナボディ上に取り外し自在に取り付けられており、バーナボディからバーナヘッドを取り外して掃除やメンテナンスが容易に行えるようになっている。
【０００３】
また、バーナヘッドは、その中央部分に下方に延びる円筒状の挿着部を備え、この挿着部をバーナボディの筒状の内周壁に着脱自在に挿着することにより、中心位置合わせが容易となっている（例えば、下記特許文献１参照）。
【先行技術文献】
【特許文献】
【０００４】
【特許文献１】特開平６−１８５７０７号公報（図１）
【発明の概要】
【発明が解決しようとする課題】
【０００５】
しかし、この種のコンロ用バーナにおいては、炎孔に入り込んだ煮汁等の液状異物が、炎孔からバーナヘッドの上部内面を伝って挿着部に到達する場合がある。そして、挿着部に付着した液状異物が更に流下して、挿着部とバーナボディの内周壁との接触部分に付着し固化すると、バーナボディからのバーナヘッドの取り外し（内周壁から挿着部の抜き取り）が困難となり、掃除やメンテナンス等の作業が円滑に行えなくなる不都合があった。
【０００６】
上記の点に鑑み、本発明は、掃除やメンテナンス等の作業を円滑に行うことができるコンロ用バーナを提供することを目的とする。
【課題を解決するための手段】
【０００７】
かかる目的を達成するために、本発明は、燃料ガスと一次空気との混合ガスを生成する混合管と、該混合管に連設されたバーナボディと、該バーナボディ上に取り外し自在に載置された環状のバーナヘッドとを備え、前記バーナボディは、上下方向に延びる筒状の外周壁と、該外周壁の内側に設けられて該外周壁との間に前記混合管に連通する環状の混合気通路を形成する筒状の内周壁とを備え、前記バーナヘッドは、その中央部から軸線に沿って下方に延びて前記内周壁に着脱自在に挿着する挿着部を備え、前記バーナボディの外周壁上面と前記バーナヘッドの外周下面との間に、前記混合気通路の混合ガスを放射状に導出して燃焼させる多数の炎孔が形成されるコンロ用バーナにおいて、前記バーナヘッドは、前記挿着部と前記炎孔との間の環状の下面から該炎孔よりも下方に延びる筒状の中間壁部を備えることを特徴とする。
【０００８】
上記構成によれば、バーナヘッドにおいて、挿着部の外側に、炎孔よりも下方に延びる筒状の中間壁部が位置していることにより、煮汁等の液状異物が炎孔から内部に入り込んでも、液状異物の流動が中間壁部に阻止されて挿着部に到達しない。これにより、挿着部と内周壁とが互いに接する面に液状異物が付着することがなく、液状異物の固着によるバーナヘッドの取り外し（内周壁から挿着部の抜き取り）が困難となることを防止して、掃除やメンテナンス等の作業を円滑に行うことができる。
【０００９】
更に、中間壁部によりバーナヘッドの表面積が拡張された状態となっている。これによれば、放熱効果を増加させることができ、熱劣化を抑えて耐久性を向上させることができる。
【００１０】
また、本発明において、前記バーナボディは、前記外周壁から前記内周壁に向かって前記バーナヘッドの前記中間壁部よりも径方向の内方まで突出する凸部を備え、前記中間壁部は、前記凸部に対応する位置に凹部を備えることが好ましい。
【００１１】
これによれば、掃除やメンテナンスの作業のために取り外したバーナヘッドをバーナボディに取り付けるとき、凹部と凸部とを手掛かりとしてバーナボディに対するバーナヘッドの周方向の位置合わせを容易に行うことができる。なお、バーナボディに対するバーナヘッドの中心位置合わせは、バーナボディの内周壁にバーナヘッドの挿着部を挿着することにより行われる。
【００１２】
また、バーナヘッドを、その凹部がバーナボディの凸部に係合しない状態で取り付けようとしても、中間壁部の凹部以外の下縁が凸部に乗り上げた状態となり、バーナヘッドが所定の水平姿勢にならない。よって、バーナボディにバーナヘッドが正しく取り付けられていない所謂誤セットの状態を容易に確認することができ、取り付け作業者に対して、バーナボディの凸部とバーナヘッドの凹部との係合を促すことができる。
【００１３】
更に、本発明においてバーナボディに前記凸部を設けたときには、該凸部を中空に形成し、該凸部の内部に前記炎孔に点火する点火プラグを収容することが好ましい。前記凸部はバーナボディの内部に突出するが、該凸部の内部空間を点火プラグの収容スペースとして有効に利用することができる。これにより、点火プラグをバーナボディの内部位置に収容してコンパクトに構成することができるだけでなく、点火プラグを凸部の内部に隠して外観を向上させることができる。
【図面の簡単な説明】
【００１４】
【図１】本発明の実施形態のコンロ用バーナを示す側面図。
【図２】本実施形態のコンロ用バーナの要部断面図。
【図３】本実施形態のバーナボディの平面図。
【図４】本実施形態のバーナヘッドの斜視図。
【図５】バーナボディに対するバーナヘッドの誤セット状態を模式的に示す説明図。
【発明を実施するための形態】
【００１５】
本発明の一実施形態を図面に基づいて説明する。本実施形態のコンロ用バーナは、図１に示すように、バーナボディ１と、バーナヘッド２とを備えている。バーナボディ１には、混合管３が連設されている。
【００１６】
混合管３は、図示しないガスノズルから噴出する燃料ガスを一次空気と共に取り入れることにより燃料ガスと一次空気との混合ガスを生成する。
【００１７】
先ず、バーナボディ１の構成について説明する。図２に示すように、バーナボディ１は、金属製板材により形成された基体部４と、ダイカストにより形成されたスペーサ５とを備えている。
【００１８】
バーナボディ１の基体部４は、外筒６と、外筒６の内側に設けられた内筒７とを備え、外筒６と内筒７との間に形成される環状の空間が、混合管３に連通する混合気通路８とされている。
【００１９】
図２に示すように、基体部４には、環状の底部隆起部９が形成されている。内筒７は、その下端が底部隆起部９の上端にカシメ連結されている。そして、内筒７の上端は、外筒６の上端よりも上方に突出している。
【００２０】
また、図２及び図３に示すように、基体部４の外筒６は、混合管３側が内筒７から離間する方向に偏心して設けられている。
【００２１】
図２に示すように、外筒６の上端には段差部１０と連結筒１１とが形成されている。そして、スペーサ５は、その下端に形成された連通用の開口部１２に外筒６の連結筒１１が挿着されることにより外筒６の段差部１０に着座した状態で、外筒６に連結されている。
【００２２】
なお、基体部４の内筒７は本発明におけるバーナボディ１の内周壁に相当し、互いに一体に連結された状態の基体部４の外筒６とスペーサ５とは本発明におけるバーナボディ１の外周壁を構成している。
【００２３】
スペーサ５は、図３に示すように、バーナヘッド２を載置する環状の載置部１３を上端に備えている。スペーサ５の開口部１２は、基体部４の外筒６に対応させるべく載置部１３に対して偏心した位置に設けられているが、載置部１３は基体部４の内筒７と同心に形成されている。
【００２４】
更に、図２及び図３に示すように、スペーサ５の内側には、その径方向の内方に向かって突出する突出部１４が設けられている。突出部１４は、スペーサ５の軸線方向に延びて載置部１３から突出する長さに設けられている。
【００２５】
突出部１４は上下の両端が開放された中空に形成されており、突出部１４の内部には点火プラグ１５が収容されている。点火プラグ１５は、スペーサ５の一部から下方に延びる支持片１６に支持されている。
【００２６】
次に、バーナヘッド２の構成について説明する。バーナヘッド２は、図４に示すように環状に形成されている。バーナヘッド２の外周下面には、環状壁１７が垂設されている。環状壁１７には、周方向に沿って配設されて径方向に延びる多数の溝が形成されている。これらの溝は、図２に示すようにスペーサ５の載置部１３に当接することで、多数の調理用炎孔１８を形成する。これにより、混合管３から混合気通路８に入った混合ガスは、バーナヘッド２の周方向に分布して各調理用炎孔１８から放射状に噴出する。
【００２７】
また、バーナヘッド２には、スペーサ５の載置部１３に載置したときに、スペーサ５の突出部１４を上方から覆うようにして受け入れる受け部１９が形成されている。図４に示すように、受け部１９の下面には複数の溝が形成されている。これらの溝は、図２に示すように突出部１４の上面に当接することで、複数の点火用炎孔２０を形成する。
【００２８】
図４に示すように、バーナヘッド２には、その開放された中央部の内周縁から下方に延びる挿着筒２１（挿着部）が形成されている。挿着筒２１は、図２に示すように、バーナヘッド２をスペーサ５の載置部１３に載置したとき、バーナボディ１の基体部４の内筒７に挿着される。
【００２９】
このとき、挿着筒２１と内筒７とによって、バーナボディ１とバーナヘッド２との中央部を上下に貫く空洞部分２２が形成される。そして、この空洞部分２２には、鍋底温度センサ２３が設けられる。なお、バーナヘッド２は、その上部に環状のカバー板２４を備え設けられ、空洞部分２２への異物の入り込みを防止している。
【００３０】
また、バーナヘッド２には、図４に示すように、挿着筒２１と環状壁１７との間に位置する下面から下方に延びる筒状の中間壁部２５が設けられている。環状壁１７が調理用炎孔１８を形成する溝を備えていることにより、中間壁部２５は、挿着筒２１と調理用炎孔１８との間に配置される。そして、中間壁部２５は、環状壁１７の調理用炎孔１８に空隙を存して対向して調理用炎孔１８よりも下方まで延びると共に、挿着筒２１の外周面から空隙を存して挿着筒２１を囲っている。
【００３１】
中間壁部２５の一部には切欠き部２６が形成されている。切欠き部２６は、受け部１９に対応する位置に形成されている。受け部１９は、図２に示すように、バーナボディ１の突出部１４の上部を覆う位置に形成されていることは前述した通りであるが、突出部１４は、スペーサ５の内面から径方向に中間壁部２５よりも内方となる位置まで突出している。このため、バーナヘッド２をバーナボディ１の正しい位置（受け部１９が突出部１４の上部を覆う位置）に載置するとき、中間壁部２５の切欠き部２６が中間壁部２５と突出部１４との干渉を回避する。そして、詳しくは後述するが、バーナヘッド２の切欠き部２６が突出部１４から位置ずれしていると、バーナヘッド２をバーナボディ１上に載置しようとしても、中間壁部２５が突出部１４に干渉することにより、バーナボディ１上にバーナヘッド２を載置することができないようになっている。
【００３２】
なお、バーナボディ１の突出部１４は、本発明の凸部に相当するものであり、バーナヘッド２の中間壁部２５の切欠き部２６は、本発明の凹部に相当するものである。また、図示しないが、、突出部１４における内筒７との対向面側に対応する形状の窪みを、切欠き部２６に代わる凹部として中間壁部２５に形成し、この窪みを突出部１４に係合させるようにしてもよい。
【００３３】
図１及び図２に示すように、スペーサ５及びバーナヘッド２が、コンロ本体（図示しない）の上面を閉塞する天板２７から露出する。天板２７には、バーナ用開口２８が形成されており、バーナ用開口２８とスペーサ５との間に形成される間隙を閉塞する環状の閉塞板２９が設けられる。なお、図２に一部を示すように、コンロ用バーナの周囲には鍋等を載置するための五徳３０が設けられる。
【００３４】
以上の構成による本実施形態のコンロ用バーナは、次のような効果を奏する。即ち、バーナヘッド２が中間壁部２５を備えることにより、調理用炎孔１８を介してバーナヘッド２の内部に煮汁等の液状異物が入り込んでも、中間壁部２５により液状異物の流動が阻止されて挿着筒２１と内筒７との接触位置に到達することがない。特に、中間壁部２５は、調理用炎孔１８よりも下方に延びていて調理用炎孔１８に対向する側の表面積が比較的広いから、比較的多量の液状異物を中間壁部２５に付着させることができ、中間壁部２５よりも内方への液状異物の入り込みを確実に阻止することができる。これにより、液状異物の固化により内筒７から挿着筒２１が取り外せなくなる等の事態が防止でき、掃除やメンテナンスの際にバーナボディ１からバーナヘッド２を取り外す作業を円滑に行うことができる。
【００３５】
更に、中間壁部２５を設けたことによって、バーナヘッド２の表面積が拡張された状態となって放熱作用が得られるため、バーナヘッド２の熱劣化を抑えることができて耐久性が向上する。
【００３６】
また、バーナヘッド２をバーナボディ１に取り付ける際には、バーナヘッド２の挿着筒２１をバーナボディ１の内筒７に挿着することで、バーナボディ１に対するバーナヘッド２の中央位置合わせが行える。このとき、受け部１９及び中間壁部２５の切欠き部２６の位置を突出部１４に合致させることで、バーナボディ１に対するバーナヘッド２の周方向位置合わせが容易に行える。
【００３７】
ここで、例えば、バーナヘッド２を、切欠き部２６がバーナボディ１の突出部１４から位置ずれしていると、中間壁部２５の切欠き部２６以外の部分の下縁が突出部１４に突き当たる。これにより、中間壁部２５の切欠き部２６と突出部１４との位置合わせが不十分であることを、取り付け作業者に感触として認識させることができ、バーナボディ１に対するバーナヘッド２の周方向への正しい位置合わせを確実に行わせることができる。
【００３８】
更に、万一、バーナヘッド２の切欠き部２６がバーナボディ１の突出部１４から位置ずれした状態で、バーナボディ１上にバーナヘッド２が載置されている場合には、図５に示すように、中間壁部２５の切欠き部２６以外の下縁が突出部１４に乗り上げた状態となり、バーナヘッド２が所定の水平姿勢（図２参照）にならない。よって、バーナボディ１にバーナヘッド２が正しく取り付けられていない所謂誤セットの状態を視覚的に確認することができ、使用者に対してバーナヘッド２の取り付け直しを促すことができる。
【００３９】
また、中間壁部２５の切欠き部２６以外の下縁が突出部１４に乗り上げた状態となったとき、図５に示すように、バーナヘッド２の一部（図示ではカバー板２４の一側）が五徳３０よりも高い位置に突出した状態になるように、中間壁部２５の上下方向の長さや突出部１４の上方への突出量を設定しておくことも好ましい。
【００４０】
これによれば、バーナヘッド２が誤セット状態のとき、五徳３０に載置した鍋等がバーナヘッド２の一部に接触して安定しないため、使用者に対して視覚的な確認だけでなく違和感を付与することができ、使用者に対してバーナヘッド２の取り付け直しを一層確実に促すことができる。
【００４１】
そして更に、バーナボディ１の突出部１４は、その内部に点火プラグ１５を収容している。このように、突出部１４が設けられているスペースを点火プラグ１５の収容スペースとして利用したことで、バーナボディ１をコンパクトに構成し、しかも、点火プラグ１５を殆ど露出させることなく設けることができるので、天板２７から露出する部分においてバーナボディ１の外観を向上させることができる。
【符号の説明】
【００４２】
１…バーナボディ、２…バーナヘッド、３…混合管、５…スペーサ（外周壁）、７…内筒（内周壁）、８…混合気通路、１４…突出部（凸部）、１５…点火プラグ、１８…調理用炎孔（炎孔）、２１…挿着筒（挿着部）、２５…中間壁部、２６…切欠き部（凹部）。
【図１】
2014145511.tif 000003
【図２】
2014145511.tif 000004
【図３】
2014145511.tif 000005
【図４】
2014145511.tif 000006
【図５】
2014145511.tif 000007